(57)【要約】湿式化学的又は電解的処理設備において多数の薄く平らな被処理物を同時に搬送するための重ね式ラックについて記述されている。被処理物はハンガー又は／及びテンションブロックにより端を吊るされ並びに締め付けられる。テンションエレメントにより上記被処理物は重ね式ラックにおいて確実にまた損傷することなく保持される。
2005507975.tif 000002
【特許請求の範囲】
【請求項１】
少なくとも一つのガイド（４）によって連結された少なくとも二つのブラケット（１）並びに垂直支えエレメント（１１）を備えた重ね式ラックを含む、相前後して配列された少なくとも二つの被処理物片の一つの束に配置された平らで非常に薄い上記被処理物の搬送並びに湿式化学的及び／又は電解的処理のための装置において、
一方で被処理物を保持するため、固定具（３）により少なくとも一つのガイド（４）に固定可能な少なくとも二つの支えブロック（２）並びにハンガー（６）の付いた支えエレメント（５）、
他方で重ね式ラック内において引っ張り荷重で被処理物を保持するため、テンションブロックに固定された第一懸架エレメント（１０）、被処理物の固定孔（１９）に係合する固定棒（９）、上記垂直支えエレメント（１１）に固定されている第二懸架エレメント（１２）を備えた少なくとも二つのテンションブロック（８）並びに第一懸架エレメント（１０）及び第二懸架エレメント（１２）にぴんと張った状態で固定可能なテンションエレメント（１３）されテンションエレメント（１３）によって第一懸架エレメント（１０）と第二懸架エレメント（１２）にぴんと張った状態で固定可能なテンションエレメント（１３）
を特徴とする装置。
【請求項２】
少なくとも一つのガイド（４）によって連結された少なくとも二つのブラケット（１）並びに垂直支えエレメント（１１）を備えた重ね式ラックを含む、相前後して配列された少なくとも二つの被処理物片の一つの束に配置された平らで非常に薄い上記被処理物の搬送並びに湿式化学的及び／又は電解的処理のための装置において、
固定具（３）により少なくとも一つのガイド（４）に固定可能で少なくとも二つの支えエレメント（５）を有した少なくとも二つの支えブロック（２）、
夫々少なくとも一つの第一の懸架エレメント（１０）を固定して有する上部及び下部のテンションブロック（１８）、
プリント配線板を締め付け状態で挟持する締め付け具を備え且つ上記テンションブロックを長手方向に貫通する固定棒（９）、
各支えエレメント（１１）に対し少なくとも一つの第二の懸架エレメント（１２）、並びに
上記懸架エレメント（１０，１２）に吊るされ且つ重ね式ラック内において引っ張り荷重で被処理物を保持するため引っ張り固定可能なテンションエレメント（１３）
を特徴とする装置。
【請求項３】
支えレール（５）に付属するハンガー（６）が、支えレールから上に向かって角度５°〜４５°で延びていることを特徴とする請求項１に記載の装置。
【請求項４】
支えレール（５）に付属するハンガー（６）が、端が上を向いたかぎ形の形状を有することを特徴とする請求項１に記載の装置。
【請求項５】
支えレール（５）に付属するハンガー（６）が、被処理物のすべり防止のため支えレールから離れた端部に位置するフランジにピンを有することを特徴とする請求項１に記載の装置。
【請求項６】
テンションブロック（１８）が、被処理物を保持するため、小型クランピングブロック（１７）及び対抗受け部（１６）を備えた個別締め付け片（２３）を装備することを特徴とする請求項２に記載の装置。
【請求項７】
小型クランピングブロック（１７）及び対抗受け部（１６）が導電性であって、導電性の締め付け片（２３）及び／又はテンションブロック（１８）、支えブロック（２）並びにガイド（４）を介して電源と接続されていることを特徴とする請求項２又は６に記載の装置。
【請求項８】
小型クランピングブロック（１７）及び対抗受け部（１６）が弾性材料からなることを特徴とする請求項２，６又は７に記載の装置。
【請求項９】
テンションブロック（８，１８）において、そこにある被処理物を受け入れるためのそれぞれの溝（２２）により、処理流体が本質的に阻止されることなく流れ去ることを特徴とする請求項１〜８のいずれか一項に記載の装置。
【請求項１０】
固定棒（９）が、テンションブロック（８，１８）又は被処理物（７）の故意でない滑落又はそれらの外れに対し、ねじ固定ナット、割りピン若しくは安全リング、テンション偏心輪又は曲がりレバーからなる安全装置を備えていることを特徴とする請求項１〜９のいずれか一項に記載の装置。
【請求項１１】
二つの固定棒（９）が、それぞれのテンションブロック（１８）ごとに装備され、その際、一方の固定棒はあらかじめ調整された長さを有し、他方の固定棒は、固定棒の有効な長さを変更できる締め付け機構を装備していることを特徴とする請求項２又は６〜１０のいずれか一項に記載の装置。
【請求項１２】
テンションブロック（１８）が、一つのテンションブロック（１８）における各々の被処理物（７）の個別直接締め付け装置を備え、これが締め付けねじ（２８）及び／又は偏心輪（３１）を有することを特徴とする請求項２に記載の装置。
【請求項１３】
テンションブロック（１８）が、各々の被処理物のために、締め付けねじ（２８）、バネエレメント（２７）及び締め付けレバー（２６）からなる締め付け装置を備えていることを特徴とする請求項２に記載の装置。
【発明の詳細な説明】
【０００１】
【発明の属する技術分野】
本発明は、少なくとも一つのガイドによって連結された少なくとも二つのブラケット（アーム）並びに垂直支えエレメントを備えた重ね式ラックを含む、相前後して配列された少なくとも二つの被処理物片の一つの束に配置された平らで非常に薄い上記被処理物の搬送並びに湿式化学的及び／又は電解的処理のための装置に関する。
【０００２】
【従来の技術】
プリント配線板や特にプリント配線フォイル（箔）のような被処理物を湿式化学的垂直電気めっき装置又は垂直搬送装置において、化学的又は電解的な処理のため、一つの束において処理されるようになっているならば、それらが処理可能なとき、より多い数のプリント板を同時に搬送し処理するため、バスケットに入れた搬送がなされる。これらのバスケットには通常プリント配線板が、相前後して重ねられ、間隔が互いに保たれている。上記装置の大きさに応じて、例えば間隔１０〜３０ｍｍで１０〜５０枚のプリント板が相前後して積み重ねられることができる。電解処理が必要ならば、必要なアノード−／カソードの間隔に応じて、間隔は１００〜３００ｍｍである。この場合、めっき浴にはそれぞれ二つのプリント板の間に一つのアノードが配されている。より大きな装置では、さらに複数のバスケットを相並んで配置することができる。プリント板とプリント板の間隔は、処理流体がプリント板を均一に濡らし、良好な流体交換を行うために必要である。保持エレメントは、通常くし又はＵ−型のガイド突起に相当し、それにプリント配線板が緩く挿入され、所定の間隔に保たれる。この種のバスケットは、特許文献１で知られている。
【特許文献１】
米国特許明細書４，３８５，７８１
【０００３】
プリント配線板における電気構造の微小化が進むに従い、プリント板の厚さを薄くすることが必要である。特殊な用途例ではプリント配線板をフレキシブルに構成することが求められる。非常に薄く、弾性のあるプリント配線板は、プリント配線フォイルとも称される。プリント配線フォイルは、しばしば複雑な形状を有するケースに収められる。プリント配線フォイルは、組み込み場所をとらないようにするため、その形状に適合可能でなければならない。この種のプリント配線フォイルは、湿式化学的処理、例えば金属化又は洗浄のため従来の搬送バスケットではもはや確実には持ちこたえることができない。それらは変形し、ガイドから外れる。またそれらは、プリント配線フォイルに向けられるノズルの流体圧又は孔の貫流のため被処理物の動きにより生じる流体圧に持ちこたえることができない。
【０００４】
さらに今日の技術水準では、プリント配線板を締め付けねじ等で少なくとも三方向で締め付けることが知られている。このやり方も、壊れやすいプリント配線フォイルには適さない。例えば各々のめっき浴における温度の違いにより、プラスチック核を有するプリント配線フォイルは、金属製ホルダより膨張が著しく異なる。プリント配線フォイルがゆがみ、そのためくずとなる。さらに処理の際に生じる流体圧により、挟み込まれたプリント配線フォイルでは許容できない寸法変化が生じる結果になる。
【０００５】
【発明が解決しようとする課題】
本発明の基礎をなす課題は、プリント配線フォイルを安全に運び、同時に上記の壊れやすい被処理物を例えば収縮又は縦方向への伸びにより損傷しないようにすることのできる装置を提案することである。
【０００６】
【課題を解決するための手段】
この課題は、本発明によれば請求項１並びに２に記載の主題（サブジェクトマター）により解決される。さらに本発明の実施の形態は従属請求項に記載されている。
【０００７】
【発明の実施の形態】
本発明に係る重ね式ラックの実例で、解決提案を以下に詳細に記載する。
【０００８】
実施の形態をわかりやすくするために、構造エレメントに対し一般的でなく特別な名称を使用した。その際、同じ数字のものは、一致するエレメント又は等しく作用するエレメントを表示する。
【０００９】
支えブロック（支持間隔材）２における取り外し可能な固定具３を例えば固定ねじと称する。しかしまた例えば弾力性の留め金（クランプ）、曲がり（トグル）レバー、偏心輪などのような他の固定手段も使うことができる。同じことが、実施例でテンションローラと称された懸架エレメント１０，１２にも当てはまる。このエレメントは、フック（かぎ金具）、フランジ付きローラ、又は切り込み、あるいはそれぞれ支えエレメントから張り出した各々別の部材であってもよく、それにはテンションエレメント１３が吊るされ、滑り落ちるを阻止する。テンションエレメント１３は、既述のように弾性プラスチック材料からなるテンションベルト、又はゴム製Ｏ型リング、継ぎ目なしテンションスプリング、両端にフック留め環の付いたテンションスプリング、又はそれぞれバネ力を備え端部に留め可能性をもった別の弾性長尺エレメントであってもよい。さらにプリント配線板用の懸架エレメント５は、以下では支えレールと称されている。ここでも長く伸びた他の懸架エレメントが使用可能であり、それらはレール状でなく例えば円形又は矩形の横断面を有し、又は管状で、引き続いての過程で（以下において）懸架ピンと称されたハンガー６をしっかり固定することができる。ハンガーはフランジ付きピンとして、又は被処理物が滑り落ちるのを妨げるフックとして、又は他の類似なものとしても作り上げられ得る。
【００１０】
図１には、本発明に係る重ね式ラックとして形成された装置の正面から見た全景が示され、また図７では、極めて類似した重ね式ラックの斜め前方から見た立体的な前景が示されている。対応する処理設備内での搬送方向は図１ではまっすぐ図の中へ進む方向に向かっている。上記重ね式ラックは、例えば被処理物をひとつのめっき浴から引き上げ、次の処理段階（ステーション）へ移す垂直電気めっき装置において、又は重ね式ラックが一本の鎖にかけられた状態で設備内を移動する垂直搬送設備において使用されることが可能である。後者の場合では重ね式ラックは設備内を搬送中に好ましくは９０度回転させられる。実際には多くの場合に矩形である被処理物７、すなわちプリント配線板やプリント配線フォイルは、どの四隅にも固定用孔１９を備えている。
【００１１】
図示されていない搬送手段により、重ね式ラックは個々の処理ステーション内へ上昇、下降および移動により運ばれる。その際、上記搬送手段は重ね式ラックをその支えアーム（ブラケット）１にて保持している。重ね式ラックでの支えアームの間を横切るように伸びたガイド（案内部）４が横ばり２０に固定されている。横ばり２０は、図平面の中へ伸び、支えアーム１にしっかり固定されている。ガイド４には、可動式に支承された支えブロック２が取り付けられている。この支えブロックは、固定ねじ３によって正確な調整後に固定用孔１９の位置に止められる。
【００１２】
被処理物用の懸架形態が、図８に図１の拡大部分として、また切断面ＶＩＩＩ−ＶＩＩＩによる側断面において表示されている。通常、一束のプリント配線板ごと乃至多数の被処理物体ごとに二つの支えブロックが使われ、そのうち少なくとも一方のブロックは摺動可能なように支承されている。他方の支えブロックは、幅の異なる被処理物をガイド４上の中央に懸架する必要がなければ、摺動可能でなく固定させることもできる。ガイド４は、プリント配線板がより大きな場合には対で用いられ、好適には水平面で、相互に例えば５０ｍｍ〜５００ｍｍの間隔で平行に配置される。例えば生産量を向上するために、複数の配線板が相並んで設置され、同時に平行に搬送される場合には、ガイド４に四つかそれ以上の数の支えブロックが相並んで固定させられることも可能である。この場合、それぞれの支えブロックのためにさらに補足的に垂直支えエレメント１１も必要である。
【００１３】
支えブロック２にはそれぞれの側にそれぞれの固定するべきプリント配線基板用に支えレール５が設けられている。支えレールの下端にはそれぞれ一つの懸架ピン６が付いている。被処理物７を固定すべく、このためにこの中に存在する固定用孔１９（大抵の場合、既存の位置決め孔）を上記ピンをおおっておかれる。それによりプリント配線基板ないしプリント配線フォイルはまずピン６の上に留めずに吊るされる。被処理物が不意に懸架ピン６からすべらないように、ピンを支えレール５から斜め上方に向くように配される。その際、角度は支えレールに対して５度〜約４５度で変えることができる。斜め配置の代わりに懸架ピン６はまた、被処理物、例えばプリント配線フォイルを滑り止めするフランジ（輪つば）を具備していてもよい。被処理物の下側にも同様に固定用孔１９が設けられている。
【００１４】
横ばり２０の外側の端付近に垂直支えエレメント１１が、例えばラック側面ごとに二本固定されている。これらは重ね式ラック側面ごとに例えば二つの垂直な金属棒からなり、それらは図１の示された例では下方に横連結部２１を有する。支えエレメント１１がしかるべき強度のある材料であってテンションローラ１２がしかるべき適切な箇所にある場合には、横連結部２１はなくてもよい。これはとりわけ、プリント配線板の間にアノードが配される場合、それらアノードが、一つのめっき浴に重ね式ラックを沈める際に、それぞれ二つのプリント配線基板の間に及び外側の重ね面に通されるようになっていれば有利である。さらに支えを強めるために、垂直支えエレメント１１は中央に及び／又は下部に横ばり２０と同じ方向に向いた不図示の横エレメントで結ばれることができる。垂直支えエレメント１１の下に少なくともそれぞれ一つのテンションローラ１２が取り付けられている。
【００１５】
被処理物７は下側においてそれぞれ一つのテンションブロック８により左右から支えられる。テンションブロック８は、図１での切断面ＩＩ−ＩＩに従った図２に詳細に図示されている。これは、それぞれ利用される湿式化学的方法の条件に応じて、プラスチック製又は金属製である得る。重ね式ラックを用いて電気めっきがなされるとすると、利用される金属枠の外側は電気的に絶縁しているべきである。テンションブロック８には、それぞれ支えるべき被処理物片用ごとに溝２２が切り込まれ、例えばフライス盤で切除されている。図を簡略化するため、例えば五枚のプリント配線フォイルに対応して五つの溝が図示されているだけである。通常その数はそれよりも多い。平均値としてそれぞれ一つの装置で生産されるべき量に応じて、例えば１０〜５０枚のプリント配線フォイルが想定可能である。溝２２の幅は、被処理物７と溝壁の間の隙間に処理液が付着しないような大きさが選ばれるべきで、付着することにより処理液の浴から浴への伴出が増すことになるであろう。通常５ｍｍ以上のゆとりのある溝幅であると、伴出はみられない。被処理物７と被処理物７との間隔は、処理の種類に左右される。いずれにせよその間隔は、処理時間を短縮するために流体交換を速く行えるような大きさが選ばれなければならない。
【００１６】
テンションブロック８の中を通り抜けて、固定棒９を挿入する孔が通っている。その際、被処理物７は設けられた孔１９により通されている。固定棒９は、通すのを簡単にするため前方の末端を尖らせている。驚くべきことに実際にこの棒を通すことにはなんら問題を生じないことが明らかになった。このために作業員によりテンションブロック８は、支えレール５の付近ですでに固定されずに吊るされ、同一間隔で設けられたプリント配線板の束へ上の方でわきに押される。それから下の固定孔１９まで下へ動かされる。テンションブロック８にある溝２２の案内特性により、固定棒９がブロック及び被処理物の束を通って容易に押されることができる。その後、固定棒９は、搬送中、安全装置１４によりすべり防止が保証される。安全装置１４は、ねじ付き固定棒とナットから、又は例えば割りピンや安全リングのような他の手段からなっている。同様の工程が、被処理物の下半分で行われる。最後に下方両側で弾性テンションベルト１３が、テンションブロック８に付いているテンションローラ１０を介して、そして側方で下方に引きのばされ、設けられたテンションローラ１２を介して懸架させられる。図示された実例では、四本のテンションベルトが用いられている。二本のテンションベルトは、束の後ろ側の左右に、及び二本は図１で見られる束の前側に取り付けられている。テンションブロック８に、その端面に配置されたテンションローラ１０の代わりに、下側でテンションブロック８から突き出て且つ側面に沿った中央に配置されたフックが利用されると、束は二つのテンションベルト１３だけでも確実に保持することができる。この種のフックは図面では示されていない。
【００１７】
図示された実施の形態では、テンションローラ１２が同様に両側面の垂直支えエレメント１１の中央に配置されていなければならない。テンションベルト１３では、一方で被処理物をしっかり固定し、しかし他方で固定孔１９を損傷しない、つまり裂けないような張力が選択されなければならない。二本のテンションベルト１３だけを使用する際には、ベルトごとの張力は数が少なくなった分高められる。被処理物が極めて薄い場合には、固定孔１９は、張力の荷重により孔が裂けるのを防ぐために固定孔の周りに金属コーティングで補強されるようになっていてもよい。
【００１８】
テンションベルトのための材質として、例えばＥＰＤＭのような弾性的で化学的に安定なプラスチック、同様にそれぞれ利用される化学薬品の攻撃性に応じてまたゴム混合物や安定材料からなるバネが適している。
【００１９】
処理の済んだ被処理物を取り外すには、逆の順序で行う。まずテンションベルト１３を、その後に安全装置１４、引き続き固定棒９を取り外す。固定棒を取り外す際には、テンションブロック８は落下を防ぐために、手で支えるか保持する必要がある。固定棒９が完全に出てから、テンションブロック８が取り除かれる。両方のテンションブロックが取り除かれていると、プリント配線板は簡単に上部懸架ピンから持ち上げることができる。
【００２０】
被処理物７として非常に薄いプリント配線フォイルでは孔１９が裂ける危険が生じる場合に、あるいはプリント配線フォイルの縁にある孔が適していない場合には、図３で図示されたような重ね式ラック様式の装置が用いられることができる。この態様では支えレール５にある懸架ピン６が改良されたテンションブロック１８によって取り替えられている。テンションブロック１８は、支えレール５に動かないで固定されている。向かい側の第二の上側テンションブロック１８は、壊れやすい被処理物７では水平に、例えば図示されていない長孔により支えレール５に可動的に収められ並びにテンションベルト１３により外側に張られることができる。そのため、テンションベルトにより対応する縦方向への膨張に配慮されているので、プリント配線フォイルは水平状態で上にゆがまないことが保障される。図１に対応する重ね式ラックの場合と異なり、それぞれの支えブロック２に束側面につきたった一つの支えレール５で足りる。しかしながら、構造の強度をより高めるには、さらに複数の支えレール５が例えば側面ごとに二つ用いられることができる。
【００２１】
この種のテンションブロック１８は、さらにテンションブロック８の代わりに被処理物の下側に使われることもできる。図４では右下の改良されたテンションブロック１８が詳細に図示されている。プリント配線フォイル７は図示をより分かり易くするために高さを縮めて示されている。テンションブロック１８は、この例では対角線上に配置されていて、その中に固定棒９が貫通している二つの長手方向の貫通孔を有している。
【００２２】
このテンションブロック１８は、固定されるべきプリント配線フォイル７の数に対応して、多数の図５で表された個別締め付け片２３からなり、それらは二つの固定棒９によってガイドされ、まとめて保持されている。アノードは、数字５で表示されている。固定棒９は、この説明では被処理物の装着および取り外しのために外さないで済む。それはプリント配線フォイルが固定のため挟持されていて、（穴に）通されていないためてある。テンションブロック１８での被処理物７は、締め付け装置によりしっかり固定される。締め付けは、ねじ及びちょうナット、偏心レバークイック栓、トグルレバー又はそれ以外の図１の例で図示されたような締め付けに適した器具により、固定棒９を引っ張ることで行われる。締め付け片２３を開くには、固定棒９に在る締め付け装置が緩められる。開くのを助けるために、締め付け片２３の間に、例えば圧縮バネ又は弾性板（パッキン）からなるバネエレメント２４が組み込まれ得る。これらは、図５を単純化すべく、二つのプリント配線フォイルの下のみに図示されている。それぞれ隣接する締め付け片２３の間に配置されたバネエレメント２４が、固定棒９に取り付けられ、開放機能を補助することができる。固定棒９がプリント配線フォイルを取り外すために緩められるとすぐに、つまり締め付けが解かれると、バネエレメントが広がり、固定棒９が容認する限り、二つの締め付け片２３の間の間隔を広げる。
【００２３】
被処理物は、締め付け片２３自体の間でなく、締め付け片２３に固定されている小型クランピングブロック１７の間で挟持されている。小型クランピングブロック１７は、図５に側面断面で図示されている。小型クランピングブロック１７に対比するものとして、テンションブロック１８にある小型クランピングブロック１７に対し同様に対角線上に配置されている対抗受け部１６が用いられる。被処理物をできるだけ穏やかに締め付けるには、小型クランピングブロック１７及び対抗受け部１６もソフトゴムや柔らかいプラスチックのような弾性材料から製造されているのがよい。電解処理のために、クランピングブロック１７並び締め付け片２３の材料は、少なくとも内部及び接触面において導電性でなければならない。対抗受け部１６及び小型クランピングブロック１７は、図５で図示されたような帯状又は図３で図示されたようなリング状の形状をとり得る。
【００２４】
膜厚の差がほんの僅かな（ほとんど同じ厚さの）プリント配線フォイルが搬送されるべき場合には、固定棒の有効な締め付け長さを変えることのできる締め付け機構を備えたただ一つの固定棒９で足りる。第二の固定棒９は、予め選定された固定調節を備えることができる。それら固定棒９を用いて束全体に同時に締め付けがなされるため、また基板が懸架ピンのところで孔にかかっていないため、装着及び取り外しのために補足的な、不図示の補助装置が必要である。補助構造では、プリント配線フォイルが上のテンションブロック１８の溝に下から一つずつ差し込まれることができ、また溝から再びすべり落ちることなく張られるまでその姿勢でとどまることができることに配慮されなければならない。最も簡単な場合ではこれはより硬い被処理物７において、プリント配線フォイルの高さに応じた間隔で重ね式ラックの下に取り付けられている平らですべ止めされた面である。このために非常によく適しているのが、重ねられているプリント配線フォイルの間隔と同じ間隔で互いに平行に延び研磨された、例えばＶ−形みぞの切込みを備えた平らな板である。被処理物が上部でしっかり挟持されていると、下のテンションブロック１８は手により側方からプリント配線板の束のところに通って入り込み、しっかり固定されることが可能である。下の締め付け片２３の構造は、基本的には上の締め付け片２３に対応する。それらは垂直にひっくり返されるだけで、テンションローラ１０を有している。被処理物がテンションブロック１８に左右から締め付けられた後に、テンションベルトが吊るされる。それでプリント配線板は確実に重ね式ラックに保持されることになる。
【００２５】
図６ではテンションブロック１８において被処理物７を挟持するための複数の実施の形態が、図５での断面と同じように図示されている。これまで図示された例と対照的に、ここではそれぞれの被処理物個々に締め付けられ、テンションブロック１８は個別的なエレメントからでなく、一部片から成っている。テンションブロック１８には、例えばそれぞれの被処理物に対してねじ孔及び補足的な締め付けねじ２８が存在する。締め付けねじ２８は、引き締めの際、直接被処理物に押圧する。別の実施の形態では、偏心輪３１が被処理物に押圧する。他の実施の形態では、テンションねじ２８により作用された締め付けレバー２６が被処理物に押圧する。既述したように、対抗受け部としてここでは小型クランピングブロック１７が設けられている。締め付けレバー２６が使われると、締め付けレバー２６の開放はバネエレメント２７により補助されることができる。バネエレメント２７は、伸縮性があって弾力的なプラスチック等として構成された圧縮バネであり得る。この実施の形態の長所は、締め付けるまで固定棒を用いて被処理物７を保持するための補助構造を要しないことにある。そのためこの態様はとりわけ上部テンションブロック１８に適している。
【００２６】
図５において、既述のように完璧を期するためにアノード１５は、破線で図示されている。それらは電気めっきの際、陰極に極性化した被処理物７に対して、反対の陽極である。重ね式ラックを用いて金属の電解析出が実施されるならば、少なくとも上部小型クランピングブロック１７は導電性で、直流電源の陰極と接続されている必要がある。それは、例えば小型クランピングブロック１７からテンションブロック１８ないしは締め付け片２３を通って、この場合には導電性でなければならないガイド４への伝導性接続を介して、支え台２５（図３）へ向かって達成され得る。支え台２５は、導電性のルーティングガイド３０を介して電源に接続されている。被処理物がエッチングされるならば、被処理物は電源の陽極に接続され、反対電極は陰極に接続される。
【００２７】
図１及び３による重ね式ラックのエレメントは、部分的に互いに組み合わされることができる。それで、被処理物を吊るすため上面に、懸架ピン６の付いた支えレール５を、並びに図３で示されたように残りの三つの角部にテンションブロック１８を用いることができる。これにより被処理物７を吊るすのを簡単にし、図１による堅い上方懸架の欠点を回避できる。とりわけ図６による各々の締め付けられた被処理物を有する上部のテンションブロック１８は、被処理物を共通に締め付けた図５の下のテンションブロック１８と結びつけることができる。また被処理物を他の構成のテンションブロックで締め付けることができる。それに関して様々な可能性が図６に図示されている。例えばテンションブロック１８にあるプリント板７を、斜めに取り付けられた締め付けねじ２８によりそれぞれの板に一つずつ締め付け、又は締め付けレバー２６や偏心輪３１を介して締め付けをなすことができる。この場合、図６で図示されているようにテンションブロックは一つの部片からなり、締め付けレバーや締め付けねじは固定棒の代用となる。
【図面の簡単な説明】
【図１】
被処理物がテンションブロックにより固定孔内で形状拘束的に保持される重ね式ラック様式の発明に係る装置の全景図である。
【図２】
図１の重ね式ラックのテンションブロックを通る切断面ＩＩ−ＩＩによる横断面図である。
【図３】
被処理物がテンションブロックにより締め付け保持される重ね式ラック様式の発明に係る装置の全景図である。
【図４】
図３と同じ重ね式ラックのテンションブロックの拡大図である。
【図５】
図４の重ね式ラックのテンションブロックの切断面Ｖ‐Ｖの側面から見た横断面図である。
【図６】
それぞれの被処理物が各々締め付けエレメントを介して固定される、図５に代わるテンションブロックの図５と同様の断面図である。
【図７】
図１に係る重ね式ラックの斜視図である。
【図８】
図１の切断面ＶＩＩＩ−ＶＩＩＩでの被処理物を吊るす様式の詳細Ａの側面断面図である。
【符号の説明】
１    重ね式ラックを搬送するための支えアーム
２    支えブロック
３    支えブロックのための固定ねじ
４    支えブロックのための案内（ガイド）
５    被処理物のための支えレール
６    被処理物のための懸架ピン
７    平らな被処理物（プリント配線板、プリント配線フォイル）
８    テンションブロック
９    固定棒
１０  テンションブロックにおけるテンションローラ
１１  垂直支えエレメント
１２  支えエレメントにおけるテンションローラ
１３  テンションベルト
１４  安全装置
１５  アノード
１６  対抗受け部
１７  小型クランピングブロック
１８  締め付け固定具の付いたテンションブロック
１９  被処理物内の固定用孔
２０  支えアームにおける横ばり
２１  横接続部
２２  プリント配線板受け入れのための溝
２３  締め付け片
２４  締め付け片のための弾力性エレメント
２５  支え台
２６  締め付けレバー
２７  テンションレバーのためのバネエレメント
２８  締め付けねじ
３０  ルーティングガイド
３１  偏心輪
【国際公開パンフレット】
2005507975.tif 000003
2005507975.tif 000004
2005507975.tif 000005
2005507975.tif 000006
2005507975.tif 000007
2005507975.tif 000008
2005507975.tif 000009
2005507975.tif 000010
2005507975.tif 000011
2005507975.tif 000012
2005507975.tif 000013
2005507975.tif 000014
2005507975.tif 000015
2005507975.tif 000016
2005507975.tif 000017
2005507975.tif 000018
2005507975.tif 000019
2005507975.tif 000020
2005507975.tif 000021
2005507975.tif 000022
2005507975.tif 000023
2005507975.tif 000024
2005507975.tif 000025
2005507975.tif 000026
2005507975.tif 000027
2005507975.tif 000028
2005507975.tif 000029